(57)【要約】【課題】近年の差動伝送方式による高速伝送において、２次コモンモード電流がノイズ要因となっている。【解決手段】差動信号の＋側信号配線４ａ及び−側信号配線４ｂを有し、差動ドライバ１と差動レシーバ２との間を接続する差動伝送線路と、差動ドライバ１に一端が接続され、差動伝送線路に沿ってその外側に配線されるシグナルＧＮＤ配線５と、＋側信号配線４ａ、−側信号配線４ｂ、シグナルＧＮＤ配線５が、いずれも同一巻方向で巻回されているコイル部６と、コイル部６よりも差動レシーバ２側で＋側信号配線４ａ及び−側信号配線４ｂ間に直列に接続され、同一のインピーダンス値を有する第１のインピーダンス素子７ａ及び第２のインピーダンス素子７ｂと、第１のインピーダンス素子７ａ及び第２のインピーダンス素子７ｂが接続された接続点に一端が接続され、他の一端がシグナルＧＮＤ配線５の他の一端に接続される第３のインピーダンス素子８とを備えた。【選択図】図１
2006191551.tif 000002
【特許請求の範囲】
【請求項１】
差動信号の＋側信号が印加される＋側信号配線および前記差動信号の−側信号が印加される−側信号配線を有し、差動ドライバと差動レシーバとの間を接続する差動伝送線路と、
前記差動ドライバに一端が接続され、前記差動伝送線路に沿って前記差動伝送線路の外側に配線されるシグナルＧＮＤ配線と、
前記＋側信号配線、前記−側信号配線、前記シグナルＧＮＤ配線が、いずれも同一巻方向で巻回されているコイル部と、
前記コイル部よりも差動レシーバ側で、前記＋側信号配線および前記−側信号配線間に直列に接続され、実質上同一のインピーダンス値を有する第１のインピーダンス素子および第２のインピーダンス素子と、
前記コイル部よりも差動レシーバ側で、前記第１のインピーダンス素子および前記第２のインピーダンス素子が互いに接続された接続点に一端が接続され、他の一端が前記シグナルＧＮＤ配線の他の一端に接続される第３のインピーダンス素子とを備えた、差動伝送路の輻射ノイズ抑制回路。
【請求項２】
前記コイル部は、前記＋側信号配線、前記−側信号配線、前記シグナルＧＮＤ配線のそれぞれが、その途中にコイル形状を有しており、それらのコイル形状の部分が同一巻方向で重ねられた部分である、請求項１に記載の差動伝送路の輻射ノイズ抑制回路。
【請求項３】
前記コイル形状の部分は、前記＋側信号配線、前記−側信号配線、前記シグナルＧＮＤ配線毎に、多層基板の異なる層上に形成されたコイル形状の配線パターンである、請求項２に記載の差動伝送路の輻射ノイズ抑制回路。
【請求項４】
前記コイル部は、３線チョークコイルであり、
前記３線チョークコイルの同一のコアに、前記＋側信号配線、前記−側信号配線、前記シグナルＧＮＤ配線が、いずれも同方向に巻きつけられている、請求項１に記載の差動伝送路の輻射ノイズ抑制回路。
【請求項５】
前記第１のインピーダンス素子は、前記差動伝送線路の差動インピーダンス値の１／２のインピーダンス値を有する抵抗素子である、請求項１に記載の差動伝送路の輻射ノイズ抑制回路。
【請求項６】
前記第３のインピーダンス素子は、抵抗素子と容量素子が直列に接続された構成であり、
前記抵抗素子と前記容量素子の合計インピーダンス値は、前記差動伝送線路の同相インピーダンス値から前記第１のインピーダンス素子のインピーダンス値を差し引いた値である、請求項１に記載の差動伝送路の輻射ノイズ抑制回路。
【発明の詳細な説明】
【技術分野】
【０００１】
本発明は、高速信号伝送方式の１つである差動伝送線路における、輻射ノイズ抑制回路に関する。
【背景技術】
【０００２】
近年、液晶テレビやプラズマテレビに代表されるフラットパネルディスプレイにおいて、ＶＧＡ(VideoGraphics Array)からＸＧＡ(eXtendedGraphics Array)へと高画質となるに従い、画像情報を転送する信号速度の高速化が進んでいる。そこで、高速デジタル・データ伝送の方法として、低振幅の差動伝送方式が用いられるようになった。
【０００３】
この伝送方式は、互いに逆相で振幅の等しい＋側信号と−側信号からなる差動信号を、送信する差動ドライバと受信する差動レシーバ間で、１対の平衡ケーブル、またはプリント基板上に形成された２本の配線パターンを通じて伝送する方式である。特徴としては、低ノイズ、低電圧振幅、高速データ伝送などがあり、高速伝送の手法として、ディスプレイの分野において導入が進んでいる。
【０００４】
図７は、一般的な差動伝送方式の一つであるＬＶＤＳ（Low Voltage Differential Signaling）方式の差動伝送路の一例を示した構成図である。
【０００５】
図７において、差動ドライバ１と差動レシーバ２の間は、差動インピーダンスが１００Ωの＋側信号配線４ａと−側信号配線４ｂにより結ばれており、差動レシーバ２の入力端付近において１００Ωの終端抵抗３で終端されている。２つの信号配線４ａ、４ｂには、同振幅で逆位相の信号がそれぞれ印加されるので、それぞれの信号配線４ａ、４ｂから発生する磁界が打ち消しあう形となり、放射ノイズはほとんど発生しない。
【０００６】
しかし、実際の差動伝送においては、差動ドライバ１から出力される信号にはスキュー、すなわち立ち上がり立下り時間の差が存在することにより、２つの信号配線４ａ、４ｂを往路、シグナルグランド１５を帰路とするコモンモード電流が発生し、放射ノイズの要因となっている。ここで、図７に示すシグナルグランド１５とは、例えば、プリント基板上に形成されたＧＮＤプレーンなどのことである。
【０００７】
この、コモンモード電流に起因する放射ノイズを対策する手段として、図８に示すようにコモンモードチョーク１０を使用する方法がある。
【０００８】
コモンモードチョーク１０は、２つの信号配線４ａ、４ｂを同一コアに同方向に巻きつける構成となっているため、互いに逆向きに流れる信号成分の電流に関しては磁界が打ち消し合うようになりそれらの信号成分の電流を通過させるが、同方向に流れるコモンモードノイズ成分に関しては磁界が足し合わされて強め合うので、インピーダンス性を持ち、コモンモード電流を流れにくくするという性質を持つ。
【０００９】
しかし、コモンモードチョーク１０を使用する場合、信号配線４ａ、４ｂの途中に挿入すると、その挿入位置で、信号配線４ａ、４ｂの特性インピーダンスが異なったものとなる。そうなると、信号配線４ａ、４ｂを伝わる信号がコモンモードチョーク１０で反射して、伝送信号波形に乱れが生じてしまう。このコモンモードチョーク１０の挿入位置における反射を抑制して、伝送信号波形の乱れを防止するコモンモードチョークコイルも提案されている（例えば、特許文献１参照）。
【００１０】
図９（ａ）は、特許文献１に開示されているコモンモードチョークコイルの外観を示す斜視図を、図９（ｂ）は、そのコモンモードチョークコイルの分解斜視図を、それぞれ示している。
【００１１】
このコモンモードチョークコイルは、コイル導体２２ａ、２２ｂが、フェライトからなるリング状のトロイダルコア２０にバイファイラ巻装されており、このトロイダルコア２０が、蓋部１６およびケース部２１からなる外装ケースに収容されて構成されている。
【００１２】
ケース部２１は、円筒形状の内周壁２１ａと外周壁２１ｂが底壁２１ｃで結合されており、内部にトロイダルコア２０を収容するためのリング状の収容部２１ｄを有している。蓋部１６は、円板形であり、ケース部２１の収容部２１ｄを閉塞する。そして、蓋部１６の周縁部からは、ケース部２１の外周壁２１ｂの外側面に沿って、４本の爪１６ｂが等間隔で引き出されている。
【００１３】
ケース部２１の外周壁２１ｂの外側面、底壁２１ｃの外面および蓋部１６の外面には、クロームめっき膜等からなるグランド導体１７が形成されている。ケース部２１の外周壁２１ｂおよび底壁２１ｃのグランド導体１７上には、絶縁性を有する樹脂等からなる絶縁膜１８が等間隔で４箇所形成されている。絶縁膜１８の上には、燐青銅等の金属材料からなる端子板１９がそれぞれ装着されている。これら４つの端子板１９には、コイル導体２２ａ、２２ｂの端部がそれぞれ半田付けされる。
【００１４】
蓋部１６は、その爪１６ｂをケース部２１の底壁２１ｃに係止させることにより、ケース部２１に固定される。
【００１５】
このように構成されたコモンモードチョークコイルを、信号配線４ａ、４ｂをそれぞれ端子板１９に接続して図８のコモンモードチョーク１０として使用すると、接地されたグランド導体１７が、蓋部１６およびケース部２１からなる外装ケースを間にして、コイル導体２２ａ、２２ｂと対向するので、これらの間に、外装ケースを誘電体とする静電容量（分布容量）が形成される。この静電容量とコイル導体２２ａ、２２ｂが有しているインダクタにより、コイル導体２２ａ、２２ｂの各々とグランドとの間にＬＣの分布定数回路が形成される。外装ケースを構成している樹脂の誘電率、グランド導体１７とコイル導体２２ａ、２２ｂとの対向面積および距離によって、この静電容量が決まるので、これらの値を適切に選択することにより、コイル導体２２ａ、２２ｂの各々とグランドとの間の特性インピーダンスを、信号配線４ａ、４ｂの各々とグランドとの間の特性インピーダンスに合致させることができる。このようにして、コモンモードチョーク１０における信号の反射を抑制することができる。
【特許文献１】特開２０００−５８３４３号公報
【発明の開示】
【発明が解決しようとする課題】
【００１６】
しかしながら、近年の高速伝送においては、従来のようにコモンモードチョーク１０を用いても十分なノイズ低減効果が得られなくなってきている。
【００１７】
その要因として、２つの信号配線４ａ、４ｂを往路、シグナルグランド１５を帰路とするコモンモード電流だけでなく、２つの信号配線４ａ、４ｂとシグナルグランド１５上を同方向に流れる２次コモンモード電流がノイズ要因であることが分かってきた。この２次コモンモード電流に起因するノイズに関しては、従来のコモンモードチョーク１０では十分な低減効果が得られない。
【００１８】
図１０を用いて、２次コモンモード電流について説明する。図１０（ａ）は、コモンモード電流を説明する図であり、図１０（ｂ）は、２次コモンモード電流を説明する図である。ここでは、例として、差動伝送路を形成する２本の信号配線４ａ、４ｂがプリント基板上に形成されている場合について説明する。なお、図７と同じ構成部分には同じ符号を用いている。
【００１９】
図１０（ａ）は、差動伝送におけるディファレンシャルモード電流とコモンモード電流の流れを示した図である。２本の信号配線４ａ、４ｂ間を逆方向に流れるのがディファレンシャルモード電流であり、各信号配線４ａ、４ｂがシグナルグランド１５に対して完全に平衡（シグナルグランド１５からの距離が等しい、２本の信号配線４ａ、４ｂの幅が同じ、等）である場合には、コモンモード電流は発生しない。
【００２０】
しかし、２つの信号配線４ａ、４ｂ間に何らかの不平衡（幅の違い、長さの違い、など）が存在する場合には、図１０（ａ）に示すように２本の信号配線４ａ、４ｂ間を同方向に流れるコモンモード電流が発生する。
【００２１】
図１０（ｂ）は、シグナルグランド１５の不連続に起因する２次コモンモード電流の発生を示した図である。基準グランド２３は、シグナルグランド１５の基準電位を与えるものであり、ここでは、筐体がプリント基板のグランド（シグナルグランド１５）の基準電位を与えるものとする。
【００２２】
図１０（ａ）の差動伝送における２本の信号配線４ａ、４ｂと同様に考えると、２本の信号配線４ａ、４ｂを往路、シグナルグランド１５を帰路とした電流がコモンモード電流である。そして、それらに不平衡（シグナルグランド１５の幅が不連続、など）が存在すると、次のモードとして、図１０（ｂ）に示すような２本の信号配線４ａ、４ｂとシグナルグランド１５を同方向に流れる２次のコモンモード電流が流れる。
【００２３】
本発明は、上述した従来の課題を解決するもので、従来の１次コモンモード電流の低減効果を悪化させず、２次コモンモード電流を低減できる、差動伝送路の輻射ノイズ抑制回路を提供することを目的とする。
【課題を解決するための手段】
【００２４】
上述した課題は、以下の輻射ノイズ抑制回路によって解決される。
【００２５】
差動信号の＋側信号が印加される＋側信号配線および前記差動信号の−側信号が印加される−側信号配線を有し、差動ドライバと差動レシーバとの間を接続する差動伝送線路と、
前記差動ドライバに一端が接続され、前記差動伝送線路に沿って前記差動伝送線路の外側に配線されるシグナルＧＮＤ配線と、
前記＋側信号配線、前記−側信号配線、前記シグナルＧＮＤ配線が、いずれも同一巻方向で巻回されているコイル部と、
前記コイル部よりも差動レシーバ側で、前記＋側信号配線および前記−側信号配線間に直列に接続され、実質上同一のインピーダンス値を有する第１のインピーダンス素子および第２のインピーダンス素子と、
前記コイル部よりも差動レシーバ側で、前記第１のインピーダンス素子および前記第２のインピーダンス素子が互いに接続された接続点に一端が接続され、他の一端が前記シグナルＧＮＤ配線の他の一端に接続される第３のインピーダンス素子とを備えた、差動伝送路の輻射ノイズ抑制回路である。
【発明の効果】
【００２６】
本発明により、従来の１次コモンモード電流の低減効果を悪化させず、２次コモンモード電流を低減できる、差動伝送路の輻射ノイズ抑制回路を提供できる。
【発明を実施するための最良の形態】
【００２７】
以下に、本発明の実施の形態について図を用いて説明する。
【００２８】
（実施の形態１）
本発明の実施の形態１を図１に基づいて説明する。図１は、本実施の形態１の差動伝送路の輻射ノイズ抑制回路の構成図を示している。なお、図７と同じ構成部分には同じ符号を用いている。
【００２９】
図１において、差動ドライバ１から差動レシーバ２へ、＋側信号配線４ａおよび−側信号配線４ｂにより信号が伝送される。＋側信号配線４ａと−側信号配線４ｂとは、電気的特性が等しく、平衡伝送路が形成され、その差動インピーダンス（＋側信号配線４ａと−側信号配線４ｂとの間のインピーダンス）は１００Ωとなっている。また差動レシーバ２の入力端近傍には、差動インピーダンスにマッチングした１００Ωの終端抵抗３が＋側信号配線４ａおよび−側信号配線４ｂに接続されている。
【００３０】
５は配線化されたシグナルＧＮＤであり、＋側信号配線４ａおよび−側信号配線４ｂの外側に配線されている。＋側信号配線４ａ、−側信号配線４ｂ、およびシグナルＧＮＤ配線５から決まる同相インピーダンス（＋側信号配線４ａと−側信号配線４ｂが接続されるときに、信号配線４ａおよび４ｂを形成している２本の導体とシグナルＧＮＤ配線５の間のインピーダンス）は１００Ωである。
【００３１】
また、差動ドライバ１の出力端の近傍に、図２（ａ）に示すような、同一コア１１に同方向に３線が巻かれた３線用チョークコイル６を備えており、＋側信号配線４ａ、−側信号配線４ｂおよびシグナルＧＮＤ配線５が接続されている。
【００３２】
また、３線用チョークコイル６の出力端近傍において、＋側信号配線４ａと−側信号配線４ｂの間には、差動インピーダンス１００Ωの１／２である５０Ωの抵抗値をそれぞれ有する、差動インピーダンスマッチング用抵抗７ａおよび７ｂが直列に接続されている。
【００３３】
また、シグナルＧＮＤ配線５は、３線用チョークコイル６の出力端近傍で、バイパスコンデンサとなる０．０１μＦのコンデンサ部品８を介して、差動インピーダンスマッチング用抵抗７ａと７ｂとの接続点に接続されていることで、センタータップ終端が構成されている。
【００３４】
図２（ａ）は、３線用チョークコイル６の構成を示している。３線用チョークコイル６は、円形状のコア１１を有しており、＋側信号配線４ａ、−側信号配線４ｂ、およびシグナルＧＮＤ配線５が同方向に巻きつけられている。
【００３５】
なお、３線用チョークコイル６が、本発明のコイル部の一例である。また、差動インピーダンスマッチング用抵抗７ａおよび７ｂが、本発明の、第１のインピーダンス素子および第２のインピーダンス素子の一例である。また、コンデンサ部品８が、本発明の第３のインピーダンス素子の一例である。
【００３６】
これらの構成により、＋側信号配線４ａ、−側信号配線４ｂおよびシグナルＧＮＤ配線５を同方向に流れる２次コモンモード電流を、３線用チョークコイル６によって除去することができ、ノイズ抑制効果が得られる。
【００３７】
また、図２（ｂ）は、棒形状のコア１１を有する３線用チョークコイル６の構成を示している。このように、コアの形状に関わらず、同方向に３線が巻かれている構成であればよい。例えば、図２（ａ）では、３線を円形状のコア１１の２つの側に分けて巻きつけているが、一方側だけに３線を巻きつけるような構成であってもよい。
【００３８】
なお、本実施の形態１の輻射ノイズ抑制回路では、ノイズ抑制のために３線用チョークコイル６を用いたが、コアが無い構成であってもよい。
【００３９】
図３（ａ）は、本発明のコイル部の他の一例である３線コイル部の構成を示した斜視図である。図１に示す３線用チョークコイル６を、図３（ａ）に示す３線コイル部の構成に置き換えても同様のノイズ抑制効果が得られる。
【００４０】
図３（ａ）の３線コイル部は、多層基板の配線パターンにより実現するものである。多層基板の異なる層に、＋側信号配線４ａ、−側信号配線４ｂ、シグナルＧＮＤ配線５のそれぞれに対応するコイル形状パターンを、それらが上下に重なるように配置している。そして、＋側信号配線４ａ、−側信号配線４ｂ、シグナルＧＮＤ配線５と、それぞれに対応するコイル形状パターンとを、基板層間接続ビア１２で接続させている。
【００４１】
また、図３（ｂ）は、図３（ａ）の断面図である。多層基板は導体層３０と絶縁体層３１を交互に積層することによって成っており、通常は導体として銅、絶縁体としてＦＲ４などの誘電体が用いられる。本構成によれば、図１に示す３線用チョークコイル６と同様の効果を示す。
【００４２】
さらに、３線コイル部の構成において、絶縁体として磁性体を用いることで、磁界の結合が強くなり、より好ましい。
【００４３】
（実施の形態２）
本発明の実施の形態２を図４に基づいて説明する。図４は、本実施の形態２の差動伝送路の輻射ノイズ抑制回路の構成図を示している。なお、図１と同じ構成部分には同じ符号を用いている。
【００４４】
本実施の形態２の輻射ノイズ抑制回路は、第３のインピーダンス素子として、実施の形態１では容量素子（コンデンサ部品８）のみを用いたのに対し、容量素子と抵抗素子を直列接続させて用いる点で、実施の形態１とは異なる。
【００４５】
図４において、差動ドライバ１から差動レシーバ２へ、＋側信号配線４ａおよび−側信号配線４ｂにより信号が伝送される。＋側信号配線４ａと−側信号配線４ｂとは、電気的特性が等しく、平衡伝送路が形成され、その差動インピーダンス（＋側信号配線４ａと−側信号配線４ｂとの間のインピーダンス）は１００Ωとなっている。また差動レシーバ２の入力端近傍には、差動インピーダンスにマッチングした１００Ωの終端抵抗３が＋側信号配線４ａおよび−側信号配線４ｂに接続されている。
【００４６】
５は配線化されたシグナルＧＮＤであり、＋側信号配線４ａおよび−側信号配線４ｂの外側に配線されている。＋側信号配線４ａと−側信号配線４ｂ、およびシグナルＧＮＤ配線５から決まる同相インピーダンス（＋側信号配線４ａと−側信号配線４ｂが接続されるときに、信号配線４ａおよび４ｂを形成している２本の導体とシグナルＧＮＤ配線５の間のインピーダンス）は１００Ωである。
【００４７】
また、差動ドライバ１の出力端の近傍に、同一コアに同方向に３線を巻いた、３線用チョークコイル６を備えており、＋側信号配線４ａ、−側信号配線４ｂおよびシグナルＧＮＤ配線５が接続されている。なお、３線用チョークコイル６は、実施の形態１と同様に、図２（ａ）または（ｂ）に示すような構成をしている。
【００４８】
また、３線用チョークコイル６の出力端近傍において、＋側信号配線４ａと−側信号配線４ｂの間には、差動インピーダンス１００Ωの１／２である５０Ωの抵抗値をそれぞれ有する、差動インピーダンスマッチング用抵抗７ａ、７ｂが直列に接続されている。
【００４９】
また、シグナルＧＮＤ配線５は、３線用チョークコイル６の出力端近傍で、バイパスコンデンサとなる０．０１μＦのコンデンサ部品２８と、値が５０Ωの同相インピーダンスマッチング用抵抗９を介して、差動インピーダンスマッチング用抵抗７ａと７ｂとの接続点に接続されている。
【００５０】
このような構成とすることで、高周波領域でコンデンサ部品２８がほぼ低インピーダンスに見えることを考えると、７ａ＋９や７ｂ＋９の合成抵抗値が、同相インピーダンス１００Ωに一致し、コモンモード電流成分に対して整合をとることができ、さらにノイズ抑制効果を増すことが可能となる。
【００５１】
なお、３線用チョークコイル６が、本発明のコイル部の一例である。また、差動インピーダンスマッチング用抵抗７ａおよび７ｂが、本発明の、第１のインピーダンス素子および第２のインピーダンス素子の一例である。また、コンデンサ部品２８と同相インピーダンスマッチング用抵抗９を直列に接続した構成が、本発明の第３のインピーダンス素子の一例である。
【００５２】
これらの構成により、＋側信号配線４ａ、−側信号配線４ｂおよびシグナルＧＮＤ配線５を同方向に流れる２次コモンモード電流を、３線用チョークコイル６によって除去することができる。
【００５３】
なお、本実施の形態２では、ノイズ抑制のために３線用チョークコイル６を用いたが、コア１１の無い構成でもよく、実施の形態１と同様に、３線用チョークコイル６の代わりに図３に示すような構成の３線コイル部としてもよい。
【００５４】
以上に説明したように、各実施の形態の輻射ノイズ抑制回路は、シグナルグランドを配線化し、２本の信号配線と合わせて３線をチョークコイルに巻きつけることで、２本の信
号線路とシグナルグランド上を同方向に流れる２次コモンモード電流に対してインピーダンス性を持たせることができる。
【００５５】
また、チョークコイルを通った直後でシグナルグランド配線と２本の信号線間の電気的中点をつなぐことで、シグナルグランド配線を引き回す必要がなくなり、配線の平衡度が悪化することによる１次コモンモード電流による放射ノイズの悪化を防ぐことができる。
【００５６】
また、第１のインピーダンス素子および第２のインピーダンス素子を、それぞれ、値が差動伝送路の差動インピーダンス値の１／２である抵抗素子としたことで、差動インピーダンスにマッチングした形の構成で、電気的中点を取り出すことができる。
【００５７】
また、シグナルＧＮＤ配線を差動伝送線路の外側に設けたことにより、差動伝送線路同士の結合が弱まって波形が乱れたり、差動インピーダンスが変化することで反射が起こったり、さらにこれらによってノイズが増加したりすることを防ぐことができる。
【００５８】
さらに、実施の形態２の輻射ノイズ抑制回路は、第３のインピーダンス素子を抵抗素子と容量素子を直列接続した構成とし、その抵抗素子と容量素子のインピーダンス値を、差動伝送路の同相インピーダンス値から第１のインピーダンス素子の値を差し引いた値としたことで、コモンモードに対してインピーダンスマッチングをとる構成となり、１次コモンモード電流の反射を防ぎ、放射ノイズを抑制することができる。
【００５９】
なお、本発明の輻射ノイズ抑制回路を発明するに際し、本発明者らは、差動伝送方式の１つであるＴＭＤＳ（Transition Minimized Differential Signaling）用にシグナルグ
ランドを含めた３本線をコイルに巻きつけたＴＭＤＳ用コモンモードフィルタを、ＬＶＤＳに用いる方法についても検討した。
【００６０】
ＴＭＤＳ方式は原理上、１つの信号配線とシグナルグランド配線間、もう１つの信号配線とシグナルグランド配線間に交互に信号を流す擬似的な差動伝送方式のため、２つの信号線間にシグナルグランド配線を配しても問題はない。
【００６１】
これらの検討内容を、比較例として以下に説明する。
【００６２】
（比較例１）
図５は、信号配線間にシグナルＧＮＤを配した場合の差導伝送回路の構成図を示している。なお、図７と同じ構成部分には同じ符号を用いている。
【００６３】
図５に示すように、差動ドライバ１と差動レシーバ２間において、２本の信号配線４ａ、４ｂ間に、配線化されたシグナルＧＮＤ２５を配した。そして、差動ドライバ１の出力端の近傍に３線用チョークコイル２６を備え、２本の信号配線４ａ、４ｂおよびシグナルＧＮＤ配線２５の３本線を同方向に巻きつける構成とした。ここで、３線用チョークコイル２６には、図２（ａ）で示すような本発明で使用した３線用チョークコイル６と同じ構成のチョークコイルを使用した。
【００６４】
このように、２本の信号配線４ａ、４ｂ間にシグナルＧＮＤ配線２５を配した場合には、信号配線４ａ、４ｂ同士の結合が弱まり波形が乱れたり、差動インピーダンスが変化するので反射が起こりノイズが増加したりする、という新たな課題を発見した。
【００６５】
（比較例２）
図６は、シグナルＧＮＤを２つの信号配線の外側に配した場合の差導伝送回路の構成図を示している。なお、図５と同じ構成部分には同じ符号を用いている。
【００６６】
比較例１では、２本の信号配線４ａ、４ｂ間にシグナルＧＮＤ配線２５を配したのに対し、比較例２では、２本の信号配線４ａ、４ｂの外側にシグナルＧＮＤ配線２５を配する構成とした。
【００６７】
このようにシグナルＧＮＤ配線２５を２つの信号配線４ａ、４ｂの外側に配した場合には、各信号配線４ａ、４ｂとシグナルＧＮＤ配線２５とのそれぞれの距離が異なるため、配線の平衡度が悪化して１次コモンモード電流による放射ノイズが悪化する、という新たな課題を発見した。
【００６８】
これに対し、本発明の輻射ノイズ抑制回路では、図１および図４に示すようにシグナルＧＮＤ配線５が３線用チョークコイル６の出力端近傍で終端されるので、図６に示すようなシグナルＧＮＤ配線２５を２つの信号配線４ａ、４ｂの外側に配した構成の場合に起こる配線の平衡度の悪化も起こらないので、１次コモンモード電流による放射ノイズが悪化することもない。
【００６９】
比較例１および比較例２に示したように、ＴＭＤＳ用コモンモードフィルタをそのままＬＶＤＳに適用した場合には、２次コモンモード電流によるノイズ放射は低減されるが、新たに１次コモンモード電流によるノイズ放射が悪化するという課題が発生した。
【００７０】
これらの比較例に対し、本発明の輻射ノイズ抑制回路は、１次コモンモード電流によるノイズ放射を悪化させることなく、２次コモンモード電流によるノイズ放射を低減させることができる。
【００７１】
以上に説明したように、本発明の差動伝送路の輻射ノイズ抑制回路によれば、高速信号伝送方式の１つである差動伝送線路において、従来のコモンモードチョークでは低減することができなかった、信号線とＧＮＤ線を同方向に流れる２次コモンモード電流を低減することができ、かつ従来の１次コモンモード電流の低減効果の悪化を防ぐことができるため、輻射ノイズを抑えた信号伝送を実現することが可能となる。
【産業上の利用可能性】
【００７２】
本発明の差動伝送路の輻射抑制回路は、高速信号伝送方式の１つである差動伝送方式において、放射ノイズを出しにくい差動伝送路設計を行う上で有用である。
【図面の簡単な説明】
【００７３】
【図１】本発明の実施の形態１における差動伝送路の輻射ノイズ抑制回路の構成図
【図２】（ａ）本発明の実施の形態１における、円形状の３線用チョークコイルの構成図、（ｂ）本発明の実施の形態１における、棒形状の３線用チョークコイルの構成図
【図３】（ａ）本発明の実施の形態１における、ノイズ抑制部分の一例である３線コイル部の構成を示す斜視図、（ｂ）本発明の実施の形態１における、ノイズ抑制部分の一例である３線コイル部の断面図
【図４】本発明の実施の形態２における差動伝送路の輻射ノイズ抑制回路の構成図
【図５】ＴＭＤＳ用コモンモードフィルタをＬＶＤＳに適用した、比較例１の差動伝送回路の構成図
【図６】ＴＭＤＳ用コモンモードフィルタをＬＶＤＳに適用した、比較例２の差動伝送回路の構成図
【図７】従来の、ＬＶＤＳ方式の差動伝送路の構成図
【図８】従来の、コモンモードチョークを使用したＬＶＤＳ方式の差動伝送路の構成図
【図９】（ａ）特許文献１のコモンモードチョークの外観を示す斜視図、（ｂ）特許文献１のコモンモードチョークの分解斜視図
【図１０】（ａ）コモンモード電流の説明図、（ｂ）２次コモンモード電流の説明図
【符号の説明】
【００７４】
１  差動ドライバ
２  差動レシーバ
３  終端抵抗
４ａ  ＋側信号配線
４ｂ  −側信号配線
５  シグナルＧＮＤ配線
６  ３線用チョークコイル
７ａ  差動インピーダンスマッチング用抵抗
７ｂ  差動インピーダンスマッチング用抵抗
８  コンデンサ部品
９  同相インピーダンスマッチング用抵抗
１０  コモンモードチョーク
１１  コア
１２  層間接続ビア
１５  シグナルグランド
２８  コンデンサ部品
３０  導体層
３１  絶縁体層
【図１】
2006191551.tif 000003
【図２】
2006191551.tif 000004
【図３】
2006191551.tif 000005
【図４】
2006191551.tif 000006
【図５】
2006191551.tif 000007
【図６】
2006191551.tif 000008
【図７】
2006191551.tif 000009
【図８】
2006191551.tif 000010
【図９】
2006191551.tif 000011
【図１０】
2006191551.tif 000012